(57)【要約】【課題】  ルーフを保持するためのロック装置が固定されるブラケットと、該ブラケットが取り付けられる車体構成部材との干渉を防止する格納保持ロック取り付け構造を提供する。【解決手段】  格納可能なルーフと、該ルーフを格納状態に保持するロック装置と、車体構成部材５に連結され上記ロック装置が取り付けられるブラケット９とを有する開閉式屋根の格納保持ロック取り付け構造は、上記ブラケット９が上記車体構成部材の上面に接する接触部３１ａを有し略水平方向に延びる上側水平部３１と、上記車体構成部材の下面に対向し略水平方向に延びる下側水平部３３と、該下側水平部３３と上記上側水平部３１とを上下方向に連結するとともに上記ロック装置が固定される上下連結部３２とを備え、上記下側水平部３３から上記上下連結部３２にわたって緩衝部材３５が配設されている。【選択図】図５
2006213138.tif 000002
【特許請求の範囲】
【請求項１】
車室の屋根部を構成する格納可能なルーフと、該ルーフを格納状態において保持するロック装置と、車体構成部材に連結され前記ロック装置が取り付けられるブラケットとを有する開閉式屋根の格納保持ロック取り付け構造であって、
前記ブラケットが、前記車体構成部材の上面に接する接触部を有し略水平方向に延びる上側水平部と、前記車体構成部材の下面に対向し略水平方向に延びる下側水平部と、該下側水平部と前記上側水平部とを上下方向に連結するとともに前記ロック装置が固定される上下連結部とを備え、
前記下側水平部から前記上下連結部にわたって、緩衝部材が配設されていることを特徴とする開閉式屋根の格納保持ロック取り付け構造。
【請求項２】
前記上下連結部は、その上端部から下端部に向かうにつれて前記車体構成部材の方へ傾斜していることを特徴とする請求項１記載の開閉式屋根の格納保持ロック取り付け構造。
【請求項３】
前記緩衝部材が、前記上下連結部に設けられた開口部に嵌め込まれる嵌合部を備え、
前記開口部の上下方向長さは、前記嵌合部の上下方向長さより長く設定されていることを特徴とする請求項２記載の開閉式屋根の格納保持ロック取り付け構造。
【請求項４】
前記下側水平部が、前記上下連結部とは別部材で構成され、
前記下側水平部は、略水平方向に延びる水平ベース部と、前記上下連結部に沿って下方に延び、前記上下連結部に接合される延出部とを備えていることを特徴とする請求項１〜３の何れか一に記載の開閉式屋根の格納保持ロック取り付け構造。
【請求項５】
前記車体構成部材が車幅方向に延びるクロスバーであり、
該クロスバーは、複数の部材をフランジ結合させることにより構成されていることを特徴とする請求項１〜４の何れか一に記載の開閉式屋根の格納保持ロック取り付け構造。
【請求項６】
前記ロック装置が、前記ルーフを格納する際に前記ルーフを下方へ引き込む機構と、前記ルーフを展開する際に前記ルーフを上方へ押し上げる機構とを備えていることを特徴とする請求項１〜５の何れか一に記載の開閉式屋根の格納保持ロック取り付け構造。
【請求項７】
前記ルーフが、ハードルーフで構成されていることを特徴とする請求項１〜６の何れか一に記載の開閉式屋根の格納保持ロック取り付け構造。
【発明の詳細な説明】
【技術分野】
【０００１】
本発明は、開閉式の屋根部を有する車両において、格納状態の屋根部を車体に対して保持するロック装置の取り付け構造に関する。
【背景技術】
【０００２】
従来、車室の屋根部（ルーフ部）を開閉式とした自動車において、ルーフを、例えば布製など伸縮自在な素材からなる幌式のソフトトップで構成し、少なくとも２つの形態、すなわち、ルーフが車室の天井部を覆っている展開状態と、ルーフが車体後部に格納された格納状態とをとり得るようにした構成は、一般に良く知られている。
このように開閉可能式のルーフを備えた車両では、上記ルーフを格納状態において車体側に保持するロック装置を設ける必要がある（例えば特許文献１参照）。
【特許文献１】実開平５−３２０５７号公報
【発明の開示】
【発明が解決しようとする課題】
【０００３】
また、近年では、開閉式ルーフとして、耐候性及び遮音性等を向上させるために、例えば金属製などハードな素材のルーフを用いた開閉式ハードトップも知られている。
このハードトップのルーフの場合には、ソフトトップの場合に比して、ルーフの重量が非常に大きくなり、ルーフを開閉する際、あるいはルーフの格納状態において、ルーフを保持するロック装置にかかる荷重も増大する。従って、上記ロック装置の取付部には、より大きな荷重に耐える構造が求められている。
【０００４】
一方、このような開閉式屋根を有する車両においては、車体の剛性を確保するためのクロスバー、及び、乗員の頭部の保護性能の向上を図るロールバー等の車体構成部材が車室後方に設けられる。特に、開閉式ハードトップの場合には、格納状態におけるルーフの格納スペース、ルーフを展開する際の展開スペース、及び荷室空間を確保するために、ロック装置の取付位置あるいは取付姿勢がかなり制限される場合が生じる。
【０００５】
このようなロック装置を、例えばクロスバーなどの車体構成部材に取り付ける場合、一般的にはブラケットを介して取り付けられるが、ルーフを開閉する際、あるいはルーフの格納状態において走行風及び路面状態による入力振動などに応じてルーフが振動する際には、上記ブラケットと上記車体構成部材との間に干渉が生じる場合がある。
【０００６】
そこで、この発明は、上記技術的課題に鑑みてなされたものであり、開閉式屋根を有する車両において、ルーフを格納状態において保持するためのロック装置が固定されるブラケットと、該ブラケットが取り付けられる車体構成部材との間の干渉を防止するロック装置取り付け構造を提供することを目的とする。
【課題を解決するための手段】
【０００７】
このため、本願の請求項１に係る発明は、車室の屋根部を構成する格納可能なルーフと、該ルーフを格納状態において保持するロック装置と、車体構成部材に連結され前記ロック装置が取り付けられるブラケットとを有する開閉式屋根の格納保持ロック取り付け構造であって、前記ブラケットが、前記車体構成部材の上面に接する接触部を有し略水平方向に延びる上側水平部と、前記車体構成部材の下面に対向し略水平方向に延びる下側水平部と、該下側水平部と前記上側水平部とを上下方向に連結するとともに前記ロック装置が固定される上下連結部とを備え、前記下側水平部から前記上下連結部にわたって、緩衝部材が配設されていることを特徴としたものである。
【０００８】
また、本願の請求項２に係る発明は、請求項１に係る発明において、前記上下連結部は、その上端部から下端部に向かうにつれて前記車体構成部材の方へ傾斜していることを特徴としたものである。
【０００９】
更に、本願の請求項３に係る発明は、請求項２に係る発明において、前記緩衝部材が、前記上下連結部に設けられた開口部に嵌め込まれる嵌合部を備え、前記開口部の上下方向長さは、前記嵌合部の上下方向長さより長く設定されていることを特徴としたものである。
【００１０】
また更に、本願の請求項４に係る発明は、請求項１〜３の何れか一に係る発明において、前記下側水平部が、前記上下連結部とは別部材で構成され、前記下側水平部は、略水平方向に延びる水平ベース部と、前記上下連結部に沿って下方に延び、前記上下連結部に接合される延出部とを備えていることを特徴としたものである。
【００１１】
また更に、本願の請求項５に係る発明は、請求項１〜４の何れか一に係る発明において、前記車体構成部材が車幅方向に延びるクロスバーであり、該クロスバーは、複数の部材をフランジ結合させることにより構成されていることを特徴としたものである。
【００１２】
また更に、本願の請求項６に係る発明は、請求項１〜５の何れか一に係る発明において、前記ロック装置が、前記ルーフを格納する際に前記ルーフを下方へ引き込む機構と、前記ルーフを展開する際に前記ルーフを上方へ押し上げる機構とを備えていることを特徴としたものである。
【００１３】
また更に、本願の請求項７に係る発明は、請求項１〜６の何れか一に係る発明において、前記ルーフが、ハードルーフで構成されていることを特徴としたものである。
【発明の効果】
【００１４】
本願の請求項１の発明に係る開閉式屋根の格納保持ロック取り付け構造によれば、車体構成部材に連結され、ロック装置が取り付けられるブラケットが、上側水平部と下側水平部と上下連結部とを備え、上記下側水平部から上記上下連結部にわたって、緩衝部材が配設されることにより、ロック装置がブラケットを介して車体構成部材に取り付けられる場合、ルーフを開閉する際に、あるいはルーフの格納状態において、上記ブラケットと上記車体構成部材との間における上方向及び／又は車体前後方向の干渉を比較的簡単な構成で防止することができる。
【００１５】
また、本願の請求項２の発明によれば、基本的に上記請求項１と同様の効果を奏することができる。特に、ブラケットの上下連結部は、その上端部から下端部に向かうにつれて車体構成部材の方へ傾斜していることにより、上記ブラケットと上記車体構成部材との間における車体前後方向の干渉をより有効に防止することができる。
【００１６】
更に、本願の請求項３の発明によれば、基本的には上記請求項２と同様の効果を奏することができる。特に、緩衝部材が、ブラケットの上下連結部に設けられた開口部に嵌め込まれる嵌合部を備え、上記開口部の上下方向長さは、上記嵌合部の上下方向長さより長く設定されることにより、車体構成部材に上記ブラケットを組み付ける際に生じ得る緩衝部材のずれを吸収することができる。
【００１７】
また更に、本願の請求項４の発明によれば、基本的には上記請求項１〜３の発明の何れか一と同様の効果を奏することができる。特に、ブラケットの下側水平部が、上記ブラケットの上下連結部と別部材で構成され、上記下側水平部は略水平方向に延びる水平ベース部と、上記上下連結部に沿って下方に延び、上記上下連結部に接合される延出部とを備えていることにより、ルーフを展開する際に、あるいはルーフの格納状態において上記ブラケットにかかる上方向の荷重をより確実に受け止めることができる。
【００１８】
また更に、本願の請求項５の発明によれば、基本的には上記請求項１〜４の発明の何れか一と同様の効果を奏することができる。特に、車体構成部材が車幅方向に延びるクロスバーであり、該クロスバーは、複数の部材により分割式で構成される場合においても、上記効果を奏することができる。
【００１９】
また更に、本願の請求項６の発明によれば、基本的には上記請求項１〜５の発明の何れか一と同様の効果を奏することができる。特に、ロック装置が、ルーフを格納する際に上記ルーフを下方へ引き込む機構と、上記ルーフを展開する際に上記ルーフを上方へ押し上げる機構とを備えていることにより、上下前後方向に荷重が加わるロック装置では、上記効果をより有効に奏することができる。
【００２０】
また更に、本願の請求項７の発明によれば、基本的には上記請求項１〜６の発明の何れか一と同様の効果を奏することができる。特に、ルーフの重量が大きく、上記ロック装置及び上記ブラケットにかかる荷重も大きくなるハードルーフで構成される場合において、上記効果をより有効に奏することができる。
【発明を実施するための最良の形態】
【００２１】
以下、本発明の実施形態を、添付図面に基づいて説明する。
【００２２】
図１は、本実施形態にかかる開閉式ルーフを備えた車両１の車体後部を概略的に示した側面図である。図２は、上記車両の車体後部を概略的に示した斜視図である。図３は、図２に示したロック装置を拡大して示した斜視図、図４は、ロック装置がルーフを保持した状態を示した断面図である。なお、図２では、明瞭に図示するために車室の天井部を構成する前側ルーフ部を取り除いて示している。
【００２３】
図１に示されるように、上記車両１では、車室の天井部を構成するルーフ２は、前後２分割タイプとされ、前側ルーフ部３と後側ルーフ部４とで構成されている。上記ルーフ２は、ハードルーフで構成されており、図１において２点鎖線矢印で示されるように、リンク機構（不図示）によって車室の天井部を覆っている展開状態（図１の２点鎖線表示参照）と車体後部に格納された格納状態（図１の実線表示参照）とをとることができる。上記ルーフ２は、格納状態では後側ルーフ部４の上方に前側ルーフ部３が位置付けられている。
【００２４】
この格納可能なルーフ２を有する車両には、図２に示されるように、ルーフを格納状態において保持するロック装置８が備えられている。ロック装置８は、格納状態にあるルーフ２（図２では後側ルーフ部４のみが示されている）の車体前方において車幅方向に延びるクロスバー５に、本実施形態に係るブラケット９を介して取り付けられている。クロスバー５は、車幅方向に延びるとともにその端部が連結部材１１を介して車体側壁部１２に連結され、車体の一部を構成している。
【００２５】
上記クロスバー５には、シート（不図示）の後方に位置するロールバー１０が取り付けられている。上記ロールバー１０は、金属製の管状部材を略逆Ｕ字状に折り曲げて形成されている。ロールバー１０の一端部１０ａは、クロスバー５に結合されている。一方、ロールバー１０の他端部１０ｂは、クロスバー５を上方から貫通して上記クロスバー５の下方まで延び、車室後部の床面を構成するリアフロア部１３に結合されている。
【００２６】
また、上記クロスバー５は分割タイプのもので、図４に示されるように、該クロスバー５の上面、下面及び前面を構成する、後方に開口した断面略コ字状のフレーム部材６（ベースフレーム）と、該ベースフレーム６の後側開口を閉じるプレート部材７（クロージングプレート）とで構成されている。ベースフレーム６の上面部６ａと下面部６ｂは、それぞれの後端部に車体後方に延びるフランジ部６ｃ、６ｄを備えている。クロージングプレート７もまた、上記フランジ部６ｃ、６ｄの内方に位置し車体後方に延びるフランジ部７ｃ、７ｄを備えている。一方、上記クロージングプレート７の上端側及び下端側は、それぞれ後方に折り曲げられて、フランジ部７ｃ、７ｄが形成されている。
【００２７】
ベースフレーム６のフランジ部６ｃ、６ｄと該フランジ部６ｃ、６ｄにそれぞれ対向するクロージングプレート７のフランジ部７ｃ、７ｄとをそれぞれ接合したフランジ結合により、上記クロスバー５は、車体後方に延びるフランジ部５ｃ、５ｄを備え、中空状の閉断面に形成されている。このように車体構成部材であるクロスバー５を分割式で構成することにより、クロスバー５に対するロールバー１０の組付けを容易にすることができる。
本実施形態では、上記クロスバー５がベースフレーム６とクロージングプレート７とにより構成されているが、上記クロスバー５を、単一部材で構成することもできる。
【００２８】
上記クロスバー５に取り付けられたロック装置８は、図４に示されるように、ルーフ２を保持するための上側把持部１７と下側把持部１８とを備えている。ルーフ２が格納された状態では、ルーフ２の前側ルーフ部３に設けられた係留部２２の先端部２２ａが、ロック装置８の上側把持部１７と下側把持部１８とで把持された状態で保持されている。ルーフの格納状態では、ロック装置８には、例えば車体の振動等によりルーフが振動する場合に上下方向及び／又は前後方向の荷重が作用することとなる。
【００２９】
また、ロック装置８は、図３に示されるように、ルーフを格納する際にルーフを下方へ引き込み、ルーフを展開する際にルーフを上方へ押し上げるためのワイヤ２５を備えており、該ワイヤ２５は、上記ロック装置８から下方に延びている。このワイヤ２５により、ロック装置８には、ルーフを格納する際には下向きの荷重が作用し、ルーフを展開する際には上向きの荷重が作用することとなる。
上記ロック装置８は、アクティブタイプで構成され、上記ワイヤ２５などの付勢手段を備えている。それにより、本実施形態のようにルーフが重量の大きいハードルーフで構成されている場合でも、ルーフの展開及び格納を確実に行うことができる。
【００３０】
図３に示されるように、ロック装置８は、該ロック装置８の下部を覆うハウジング２０を備え、該ハウジング２０内に配設されている。ハウジング２０のフランジ部２１が、ブラケット９に取り付けられている。上記ブラケット９は、図３に示されるように、固定ボルト１５を締め付けることにより上記クロスバー５に取り付けられ、これにより上記ロック装置８がクロスバー５に取り付けられる。
【００３１】
以下に、本実施形態に係る格納保持ロック取り付け構造の詳細について説明する。
（１）第１の実施形態
図５には、本発明の第１の実施形態に係る格納保持ロック取り付け構造の断面図が示されている。なお、この図では、明瞭化のためにロック装置及び固定ボルトが取り除かれて示されている。
図５に示されるように、クロスバー５に取り付けられるブラケット９は、上記クロスバー５の上面に接する接触部３１ａを有し略水平方向に延びる上側水平部３１と、上記クロスバー５の下面に対向し、略水平方向に延びる下側水平部３３と、該下側水平部３３と上記上側水平部３１とを上下方向に連結するとともにロック装置８が固定される上下連結部３２とを備えている。
【００３２】
上記ブラケット９は、板状の部材を折り曲げて成形されており、上記上側水平部３１と上記上下連結部３２と上記下側水平部３３とが一体的に形成されている。この曲げ成形により、上記上下連結部３２はその上端部から下端部に向かうに連れてクロスバー５の方へ傾斜して形成されている。
【００３３】
上記クロスバー５のフランジ部５ｃ、５ｄは、上記上側水平部３１、上記下側水平部３３、及び上記上下連結部３２に対向するように突出して形成されている。上記ブラケット９には、上記下側水平部３３から上記上下連結部３２にわたって緩衝部材３５が配設されている。上記緩衝部材３５は、例えばゴム等の弾性に富んだ材料などを用いて略平板状に形成され、上記上下連結部３２及び下側水平部３３に沿って略Ｌ字状に配設されている。
【００３４】
上記緩衝部材３５は、その端部に突出して形成される嵌合部３６を備えている。該嵌合部３６がブラケット９の上下連結部３２に設けられた開口部３４に嵌め込まれ、それにより緩衝部材３５はブラケット９に取り付けられる。上記開口部３４の上下方向長さは、上記嵌合部３６の上下方向長さより長く設定されている。従って、緩衝部材３５がブラケット９に取り付けられた状態において、緩衝部材３５は、ブラケット９の上下連結部３２に対して上下方向に変位可能である。
【００３５】
この緩衝部材３５が配設されたブラケット９の下側水平部３３を、クロスバー５の下面、すなわちベースフレーム６の下面に係合させた後に、ブラケット９の上側水平部３１をクロスバー５の上面に接触させ、固定ボルトを締め付けることにより、ブラケット９はクロスバー５に取り付けられる。
【００３６】
このように、車体構成部材５に連結され、ロック装置８が取り付けられるブラケット９が、上側水平部３１と下側水平部３３と上下連結部３２とを備え、上記下側水平部３３から上記上下連結部３２にわたって、緩衝部材３５が配設されるので、ロック装置８がブラケット９を介して車体構成部材５に取り付けられる場合、ルーフを開閉する際に、あるいはルーフの格納状態において、上記ブラケットと上記車体構成部材との間における上方向及び／又は車体前後方向の干渉を比較的簡単な構成で防止することができる。
ロック装置の取り付け強度を確保するため、あるいはロック装置の取付位置あるいは取付姿勢等のレイアウトなどのために、ロック装置がブラケットを介して車体構成部材に取り付けられる場合において、上記効果を奏することができる。
【００３７】
また、ブラケット９の上下連結部３２は、その上端部から下端部に向かうにつれて車体構成部材５の方へ傾斜しているので、上記ブラケット９と上記車体構成部材５との間における車体前後方向の干渉をより有効に防止することができる。
ブラケットが曲げ成形により形成され、上記上下連結部と上記上側水平部とが一体的に形成される場合には、曲げ精度の影響を軽減することができる。
【００３８】
更に、ブラケット９に配設される緩衝部材３５が、上記ブラケット９の上下連結部３２に設けられた開口部３４に嵌め込まれる嵌合部３６を備え、上記開口部３４の上下方向長さは、上記嵌合部３６の上下方向長さより長く設定されるので、車体構成部材５に上記ブラケット９を組み付ける際に生じ得る緩衝部材３５のずれを吸収することができる。
【００３９】
本実施形態では、上記車体構成部材が車幅方向に延びるクロスバー５であり、該クロスバー５は、複数の部材により分割式で構成される場合においても、上記効果を奏することができる。
上記クロスバー５に、例えばロールバー１０などが連結される場合において、上記効果を得ることができる。上記クロスバー５のフランジ部５ｃ、５ｄが、ブラケット９の上側水平部３１、下側水平部３３、及び上下連結部３２に対向するように突出している場合には、上記ブラケット９と上記クロスバー５との間における干渉をより有効に防止することができる。
【００４０】
また、ロック装置８が、ルーフを格納する際に上記ルーフを下方へ引き込む機構と、上記ルーフを展開する際に上記ルーフを上方へ押し上げる機構とを備えていることにより、上下前後方向に荷重が加わるロック装置では、上記効果をより有効に奏することができる。
上記ロック装置８が、アクティブタイプで構成され、上下前後方向に荷重が加わる場合には、上記効果を得ることができる。
【００４１】
更に、本実施形態のように、ルーフの重量が大きく、上記ロック装置８及び上記ブラケット９にかかる荷重も大きくなるハードルーフで構成される場合においては、上記効果をより有効に奏することができる。
【００４２】
（２）第２の実施形態
次に、図６に本発明の第２の実施形態に係る格納保持ロック取り付け構造の断面図が示されている。なお、以下の説明において、上記実施形態と同様の構成を備え、同様の作用をなすものについては、同一符号を付し、それ以上の説明は省略する。
クロスバー５に取り付けられるブラケット４９は、第１の実施形態と同様に、上側水平部４１、上下連結部４２、及び下側水平部４３を備え、上記上側水平部４１と上記上下連結部４２とが一体化して形成されているが、ブラケット４９の上下連結部４２と下側水平部４３とは、別部材で構成されている。上記下側水平部４３は、略水平方向に延びる水平ベース部４３ａと、上記上下連結部４２に沿って下方に延び、上記上下連結部４２に接合される延出部４３ｂとを備えている。上記延出部４３ｂは、例えば溶接などにより上記上下連結部４２に接合されている。
【００４３】
緩衝部材４５がまた、上記上下連結部４２及び上記下側水平部４３にわたって略Ｌ字状に配設され、その端部には嵌合部４６を備えている。該嵌合部４６が上記水平ベース部４３ａに設けられた開口部４４に嵌め込まれ、それにより緩衝部材４５はブラケット４９に取り付けられている。
【００４４】
このようにして、ルーフを開閉する際に、あるいはルーフの格納状態において、ブラケットと車体構成部材との間における上方向及び／又は車体前後方向の干渉を比較的簡単な構成で防止することができ、上記第１の実施形態と同様の効果を奏することができる。
【００４５】
また、ブラケット４９の下側水平部４３が、上記ブラケット４９の上下連結部４２とは別部材で構成され、上記下側水平部４３は、略水平方向に延びる水平ベース部４３ａと、上記上下連結部４２に沿って下方に延びるとともに上記上下連結部４２に接合される延出部４３ｂとを備えているので、ルーフを展開する際に、あるいはルーフの格納状態において上記ブラケットにかかる上方向の荷重をより確実に受け止めることができる。
【００４６】
第２の実施形態では、上記下側水平部４３に設けられた開口部４４を介して緩衝部材４５が取り付けられているが、上記開口部が上記上下連結部に設けられてもよい。その場合においても、上記第１の実施形態と同様の効果を奏することができる。
【００４７】
（３）第３の実施形態
図７には、本発明の第３の実施形態に係る格納保持ロック取り付け構造の断面図が示されている。なお、以下の説明において、上記第１の実施形態と同様の構成を備え、同様の作用をなすものについては、同一符号を付し、それ以上の説明は省略する。
この第３の実施形態では、上記第１の実施形態と同様に、ブラケット５９が、上側水平部５１、上下連結部５２、及び下側水平部５３を備え、それらが一体的に形成されている。緩衝部材５５がまた、上記上下連結部５２及び上記下側水平部５３にわたって上記ブラケット５９とクロスバー５との間に略Ｌ字状に配設され、その端部に嵌合部５６を備えている。この実施形態では、上記嵌合部５６が上記下側水平部５３に設けられた開口部５４に嵌め込まれ、それにより緩衝部材５５はブラケット５９に取り付けられている。
【００４８】
このようにして、ルーフを開閉する際に、あるいはルーフの格納状態において、ブラケットと車体構成部材との間における上方向及び／又は車体前後方向の干渉を比較的簡単な構成で防止することができ、上記第１の実施形態と同様の効果を奏することができる。
【００４９】
本実施形態では、ルーフを展開する際、あるいはルーフを格納する際に、ロック装置に設けられたワイヤを通じて行われているが、例えば電動などの他の手段を用いることもできる。
【００５０】
以上のように、本発明は、例示された実施の形態に限定されるものではなく、本発明の要旨を逸脱しない範囲において、種々の改良及び設計上の変更が可能であることは言うまでもない。
【産業上の利用可能性】
【００５１】
本発明は、開閉式の屋根部を有する車両において、上記屋根部を格納状態において保持するロック装置が、例えばクロスバーなどの車体構成部材に取り付けられる場合などに適用可能である。
【図面の簡単な説明】
【００５２】
【図１】開閉式ルーフを備えた車両の車体後部を概略的に示した側面図である。
【図２】上記車両の車体後部を概略的に示した斜視図である。
【図３】ロック装置を拡大して示した斜視図である。
【図４】ロック装置がルーフを保持した状態を示した断面図である。
【図５】本発明の第１の実施形態に係る格納保持ロック取り付け構造の断面図である。
【図６】本発明の第２の実施形態に係る格納保持ロック取り付け構造の断面図である。
【図７】本発明の第３の実施形態に係る格納保持ロック取り付け構造の断面図である。
【符号の説明】
【００５３】
２  ルーフ
５  クロスバー
８  ロック装置
９、４９、５９  ブラケット
３１、４１、５１  上側水平部
３１ａ  接触部
３２、４２、５２  上下連結部
３３、４３、５３  下側水平部
３４、４４、５４  開口部
３５、４５、５５  緩衝部材
３６、４６、５６  嵌合部
４３ａ  水平ベース部
４３ｂ  延出部
【図１】
2006213138.tif 000003
【図２】
2006213138.tif 000004
【図３】
2006213138.tif 000005
【図４】
2006213138.tif 000006
【図５】
2006213138.tif 000007
【図６】
2006213138.tif 000008
【図７】
2006213138.tif 000009